(57)【要約】【課題】      電熱ヒーター型の屋根融雪装置を設置するにあたり，屋根材を剥がすことなく，又，天候に左右されることなく，堅牢な電熱ヒーターを強固に固定することが出来，しかも安価で容易に設置することが出来るようにした。【解決手段】  屋根表面に縦枠支持台１（左右両側）と中間点縦枠支持台４を雪止めアングル８に固定し，横枠支持台２（最下部）と横枠支持台９（最上部）を取り付けナット６で固定する。次にヒーター折返し点円柱形支持台３を縦枠支持台１（左右両側）に取り付けナット６で固定し，Ｌ型ヒーター支持台５も同じように取り付けナット６で固定する。最後に，電熱ヒーター７を，Ｌ型ヒーター支持台５や，ヒーター折返し点円柱形支持台３に，電熱ヒーターを折返しながら順々に固定することを特徴とする。【選択図】図１
2008138509.tif 000002
【特許請求の範囲】
【請求項１】
本装置は電気屋根融雪装置であるが，電気的に通電制御可能な電熱ヒーターで，発熱体を覆う絶縁体の被覆が多層構造のものであって，なおかつ柔軟性があり，アスファルトやコンクリートに埋設して安定固定するか，或いは，何らかの形に形状化して使用する堅牢な電熱ヒーターを，埋設して安定固定することなく，或いは，形状化されたものを取り付けることなく，ヒーターを固定するための縦枠支持台や，横枠支持台，中間点縦枠支持台，ヒーター折返し点支持台を取り付けることによって，ヒーターを安定固定することを特徴とする屋根表面設置型融雪装置。
【請求項２】
前記融雪装置に使われる電熱ヒーターは，融雪に必要な表面温度を５０℃前後に制御する為，電熱ヒーター本体の長さが長くなるので折り返し点が必要であるが，その折り返し点支持台を円柱形にして反りをいれ，雪の落下重力加重でヒーターが外れないようにしたことを特徴とする請求項１記載の屋根融雪装置。
【請求項３】
前記融雪装置に使われる電熱ヒーターは，直線部分を屋根面の雪の落下重力加重に対して垂直にすることによって融雪の効率が良いが，電線状の電熱ヒーターは柔軟性があるので，雪の落下重力加重に対して曲がらないように堅固に固定する必要があるため，Ｌ型のヒーター支持台を，電熱ヒーターと並行して固定したことを特徴とする請求項１記載の屋根融雪装置である。
【発明の詳細な説明】
【技術分野】
【０００１】  本発明は，一般家屋の屋根表面に設置することが出来る，屋根融雪装置に関する。
【背景技術】
【０００２】  従来，電熱ヒーター型の屋根融雪装置は，ヒーターを一定の形に形状化されたものを，屋根面の内側に設置する。したがって，家屋を建築後に融雪装置を設置する場合は，屋根表面材，つまりトタン，瓦などを剥がすことが必要となる。【０００３】  又，屋根表面に設置されるもので，特殊な接着テープ等で固定するものがあるが，アスファルトやコンクリートに埋設固定して使用するような多層構造の堅牢なヒーターは，強固に安定的に固定できない。【０００４】  又，アスファルトやコンクリートに埋設して安定固定するような堅牢なヒーターを，安定固定しないで設置することは出来ないので，アスファルトやコンクリートで安定固定する以外に方法がないのが現状である。【０００５】  なお，本願発明に関連する公知技術として次の特許文献１を挙げることが出来る。【０００６】
【特許文献１】  特許公開２０００−１６０８７６号公報
【発明の開示】
【発明が解決しょうとする課題】
【０００７】  上述の如く，従来型の電熱ヒーター型屋根融雪装置では，屋根面の内側に設置するため，既存建築の場合は，屋根表面材を一旦剥がすことが必要となる。その為，屋根材を剥がすため設置工事は天候に左右され，工事工程も増え，費用も多大なものとなるのが現状である。
【０００８】  又，屋外屋根表面に設置されているものの中には，テープ等で電熱ヒーターを貼り付ける方法がとられているものもあるが，電熱ヒーターの被覆が多層構造のものであって，尚且つ柔軟性があり，アスファルトやコンクリートに埋設して強固に安定固定しなければならないヒーターを，テープ等で強固に安定的に固定することは困難である。
【０００９】  本発明は，このような点に鑑みて成されたものであり，その目的は，屋根に電熱ヒーター型融雪装置を設置するにあたり，屋根材を剥がすことなく，又，天候に左右されることなく，堅牢なヒーターを強固に安定的に固定することが出来，しかも安価で容易に設置できるようにすることである。
【課題を解決するための手段】
【００１０】  上述の目的を達成する本発明の屋根表面設置型融雪装置は，屋根表面に取り付けられた雪止め金具等（雪止めアングルがある場合は，それを使用する。無い場合は，縦枠支持台固定金具を使用する）に，ヒーターを固定するための縦枠支持台や，横枠支持台，中間点縦枠支持台，ヒーター折返し点支持台を取り付けることによって，ヒーターを安定固定することを特徴とする。
【００１１】  本融雪装置に使われる電熱ヒーターは，融雪に必要な表面温度を５０℃前後に制御するため，長さが長くなるのでヒーター折返し点が必要であるが，その折返し点支持台を円柱型にして反りをいれ，雪の落下重力加重で外れないようにしたことを特徴とする。
【００１２】  又，本融雪装置に使われる電熱ヒーターは，ヒーターの直線部分を雪の落下重力加重に対して垂直にすることによって融雪の効率が良いが，電線状の電熱ヒーターは柔軟性があるので，雪の落下重力加重に対してヒーターが曲がらないように堅固に固定する必要がある。それを解決するために，直線部分のヒーター支持台をＬ型にして，電熱ヒーターを固定するようにしたことを特徴とする。
【発明の効果】
【００１３】  以上説明したように本発明によれば，屋根表面に，縦枠支持台，横枠支持台，中間点縦枠支持台を取り付け，それにヒーター折り返し点支持台を円柱型にして反りをいれることによってヒーターの落下防止となり，尚且つ，柔軟性のある堅牢な電熱ヒーターの直線部分を，Ｌ型のヒーター支持台に堅固に固定することによって，安定的に又強固にヒーターを固定することが出来る。このようにすることによって，屋根表面材，つまりトタン，瓦などを剥がすことなく，屋根表面に強固に取り付けることが可能となる。又，天候に左右されることも無く，しかも安価である。
【発明を実施するための最良の形態】
【００１４】  以下，本発明の実施の形態を図面に基づき説明する。【００１５】  図１〜図２は本発明の重要な実施の形態に係り，図１は断面図を含む詳細設置平面図，図２は屋根表面に設置した概観平面図である。【００１６】  図１，図２に示すように，本融雪装置は，屋根に取り付けられた雪止めアングル８に，縦枠支持台１（左右両側），横枠支持台２（最下部），中間点縦枠支持台４，Ｌ型ヒーター支持台５，ヒーター折返し点円柱形支持台３，横枠支持台９（最上部）を取り付ける。図１の断面図を含む設置平面図内のＢ視断面図１０やＡ視断面図１１のように電熱ヒーターを設置し，その電熱ヒーターに電圧を印加し，電熱ヒーター表面温度を制御して屋根の雪を融かすものである。【００１７】  各々の支持台は，図１断面図を含む設置平面図の取り付けナット６によって固定される。【００１８】  ヒーターをより安定固定するために，適当な間隔で耐候性のある結束帯などで固定される。【００１９】  ヒーターを設置する始点は，図１，図２共，ヒーター折返し点円柱形支持台３が取り付けられていない左下から設置され，順次，Ｌ型ヒーター支持台５，ヒーター折返し点円柱形支持台３といった具合に折返しながら取り付けられるが，条件によっては始点が反対方向から設置される場合もある。【００２０】  ヒーターの温度制御は，降雪があって，尚且つ，ヒーター表面温度が５０℃以下，外気温度が５℃以下で通電制御される。【００２１】  ヒーター折返し点円柱形支持台３の円柱部分は，ヒーターが接触する部分のみでよいので半円柱でも良い。【００２２】  全体の設置を，屋根形状や融雪地域によって９０度角度をずらしてもよい。
【図面の簡単な説明】
【００２３】
【図１】  本発明の第１の実施の形態に係る融雪方式の断面図を含む詳細設置平面図である。
【図２】  切妻屋根表面に設置した概観平面図である。
【符号の説明】
【００２４】  １，  縦枠支持台
２，  横枠支持台（最下部）
３，  ヒーター折返し点円柱形支持台
４，  中間点縦枠支持台
５，  Ｌ形ヒーター支持台
６，  取り付けナット
７，  電熱ヒーター
８，  雪止めアングル
９，  横枠支持台（最上部）
１０，Ｂ視断面図
１１，Ａ視断面図
【図１】
2008138509.tif 000003
【図２】
2008138509.tif 000004